(57)【要約】      （修正有）【課題】その操作子の表面を、皮脂が付着すること等から保護する意図に基づき、設計により限定された接着面でシート材料をその機械に接着する態様を可能とする。【解決手段】表面保護のためのラップフィルムと分子間力によって接着することを目的とした貼り付け面１を有する操作子を設けることにより、入力端子をふさぐことなく、表面を保護できる。【選択図】図１
2018163424.tif 000002
【特許請求の範囲】
【請求項１】
表面保護のためのラップフィルムと分子間力によって接着することを目的とした貼り付け面を有する操作子
【請求項２】
表面保護のためのラップフィルムと分子間力によって接着することを目的とした貼り付け面を操作子に提供する部品
【発明の詳細な説明】
【技術分野】
【０００１】
本発明は、指で触れて操作する操作子の表面保護に関するものである。
【背景技術】
【０００２】
従来、テレビリモコン等に市販の食品ラップを巻きつけ、指の皮脂等の付着からそのキーパッドの表面を保護する工夫、が知られている。指で触れて操作することを目的とした操作子の表面を、使い捨て可能なラップフィルムなどのシート材料で覆うことは、衛生上の観点等で有意義である。なお「操作子」とは、携帯端末、パソコンなど機械的な構造物の構成部分のうち、キー、キーパッド、キースイッチ、キーボード、ボタン、コントローラなどの名称で呼ばれる、指等により操作されることが意図される部分、を指す。
【０００３】
ところでもし、側面や背面に入力端子が存在する機械等にシート材料を巻き付けた場合、その入力端子がふさがれてしまうことになる。もし入力端子がふさがれてしまえば、その機械等の効用の一部または全部が損なわれる不便となりうる。
【先行技術文献】
【特許文献】
【０００４】
【特許文献１】特願2013-149438(P2013-149438)
【特許文献２】特願2013-538507(P2013-538507)
【発明の概要】
【発明が解決しようとする課題】
【０００５】
本発明は、設計により限定された接着面でシート材料をその機械に接着する態様により、その操作子の表面を保護する手段を提供すること、を課題とする。
【課題を解決するための手段】
【０００６】
本発明は、表面保護のためのラップフィルムと操作子とを分子間力によって接着することを目的とした貼り付け面の提供、を最たる特徴とする。
【０００７】
本発明はその一態様において、表面保護のためのラップフィルムと分子間力によって接着することを目的とした貼り付け面を有する操作子、を提案する（請求項１）。
【０００８】
[定義]  
「表面保護のためのラップフィルム」とは、指の皮脂が付着すること等から操作子の表面を保護するためのシート材料のことである。
「貼り付け面」とは、分子間力によりラップフィルムが操作子に貼りつくための部分のことである。
なお前述のとおり「操作子」とは、携帯端末、パソコンなど機械的な構造物の構成部分のうち、キー、キーパッド、キースイッチ、キーボード、ボタン、コントローラなどの名称で呼ばれる、指等により操作されることを目的とした部分、を指す。なおここでいう「操作子」とは、操作者の指などが直接触れる部分のほか、その外枠部分を含む観念である。
【０００９】
[技術的意義]  
指によって操作される操作子は、指の皮脂のほか、化粧品、染料および顔料、食品由来の油脂など、そのほか指の付着物により容易に汚染される。たとえば複数人が扱う操作子を介した食中毒に係る細菌やウィルスの感染等を予防する上で、使い捨て可能なシート材料を操作子表面に装着させる技術は有意義である。
【００１０】
また、本発明はその一態様において、表面保護のためのラップフィルムと分子間力によって接着することを目的とした貼り付け面を操作子に提供する部品、を提案する（請求項２）。
【００１１】
[定義]  
ここでいう「部品」とは、その外枠部分にラップフィルムの貼り付け面をもたない操作子に対し、新たに貼り付け面を付与するために付加されるパーツを指す。その形状は後述の図２で示すような枠状であったり、ポイント状であったりすることが意図される。貼り付け面を構成する材料の性状は、たとえばPET、セラミックスなど、表面が十分に平滑でラップフィルムと分子間力により接着することを特徴とするものである。
【００１２】
[技術的意義]  
元々、その外枠部分等にラップフィルムの貼り付け面をもたない操作子に対し、新たにラップフィルムの貼り付け面を付与する技術は有意義である。
【発明の効果】
【００１３】
本発明の実施においては、側面や背面に入力端子をふさぐことなく、操作子の表面を保護することができる。ラップフィルムと操作子は分子間力で引っ付いているだけなのでラップフィルムの貼り替えも容易である。また細かなチリ等が操作子の隙間に入り込むこと等を防ぐことができ、シート表面を拭くことによる簡易の掃除も容易となる。
【図面の簡単な説明】
【００１４】
【図１】ラップフィルムをパソコンのキーボードに貼り付けるための部分、を例示するための図である。
【図２】パソコンのキーボードを例に、ラップフィルムを貼り付けるための部品を取り付けた箇所を示す図である。
【発明を実施するための形態】
【００１５】
本発明は、板状になったPET樹脂など表面に、ポリ塩化ビニリデンなどで出来たラップフィルムが分子間力により貼りつく性質を利用し、市販の食品ラップなどを用いて機械操作子の表面を指の皮脂汚れ等から保護しようとするものである。たとえば、食品ラップ等のラップフィルムを貼りつけるための部分をもつパソコンキーボード、テンキーなどが本発明に包含される観念である。
【００１６】
特別の貼り付け面を準備しなくとも、本発明と同等程度の貼り付け強度で、元々ラップフィルムを貼り付けることができるタッチパネルを利用したスマートフォン端末やタブレット端末の入力部、タッチパッド等は、原則として本発明の思想により包含されない観念である。ただし、それらの端末の操作子にラップフィルムを貼り付けることを意図した特別の貼り付け面が設けられた場合には本発明に包含される観念となる。
【００１７】
前記定義でも述べたとおり、貼り付け面を構成する材料は、たとえばPET、セラミックスなど、表面が十分に平滑でラップフィルムと分子間力により容易に接着する性状を有するものが意図される。なおここで挙げたPET、セラミックスは例示であり、目的を達成する性状を有するものであれば材料の種類は特に限定されない。
【００１８】
パソコンのキーボードの外枠部分にプラスチック板を取り付け、そこへラップフィルムを貼って試作品を作ってみた。図１にパソコンのキーボードとその外枠部分の例を示す。図中斜線を引いた領域が試作品においてプラスチック枠を取り付けた部分である。試作品において、プラスチック枠は市販のPET樹脂板をキーボードの枠の形に切り抜いて作成したものを用い、ラップフィルムは市販の食品ラップを用いた。プラスチック枠はアクリルシリコン系の接着剤を用いてパソコンに貼り付けた。パソコンは東芝、lenovo、HPの各社様の製品で試させていただいた。キーボードのサイズや形状によりプラスチック枠の形状は異なるものとなったが、いずれのケースでも保護ラップを貼った状態で快適にキー入力をすることができ、ラップの貼り替えも容易であった。なおラップが突っ張ったり引っ込みすぎたりしないよう、キーの高さに合わせてプラスチック板の厚さ等は選択されるべきである。本件試作品の例においては、厚さが0.5ｍｍのPET樹脂板を用いたところ丁度良かった。
【００１９】
なお、プラスチック枠など貼り付け面によるラップ接着は、ポイント接着や狭い幅の枠による接着でもよいが(図面２)、広い面で接着した方がラップがよく付き、よりはがれにくいものとなる。ちなみに画面の開閉動作で画面の側にラップがくっつくことでキーボード側からラップがはがれてしまうリスクについては、薄い布を画面とラップの間に挟んで閉じることで一応、完全にハンドリングできる。
【００２０】
ノートパソコンは、画面部分とキーボードを密着させる状態に閉じることができる型が多くの端末で採用されている。端末を開閉するときに貼り付けたラップフィルムがはがれてしまうことのないよう、貼り付け部を意図的に少しくぼませ、あるいはラップフィルムに画面がくっつくより先に画面と接触するラップフィルム以外の部分を準備し、端末を閉じた際に画面とラップフィルムの間に少し空隙ができてくっつかないようにする工夫があってもよい。
【００２１】
プラスチック枠など貼り付け面には、シート材料を接着しない時に接着面に傷がつくことを防ぎ、面を清浄に保つための保護パーツが付加されていてもよい。つまり保護シールやフタのようなもので貼り付け面を保護しておき、シート材料を張り付ける際にそれを外すという機序を意図した態様は容易に想定されうることである。
【００２２】
なお、図１および図２におけるキーボードの配列は例示であり、テンキーを含むキー配列、テレビのリモコンのキー配列、携帯電話端末のキー配列等においても同様に操作子の枠部分を観念できることは言うまでもない。
【産業上の利用可能性】
【００２３】
医療現場の機械など衛生上の管理が求められる端末や、職場の共用パソコンやインターネットカフェなど不特定多数の使用者が用いるパソコン端末などにおける応用が期待される。本稿ではプラスチック板を切り抜いて作ったプラスチック枠を用いた試作品を紹介したが、最初からラップフィルムの貼り付け面を有する製品や特定の製品型に対し貼り付け面を付与するための製品等が、本稿により提案される。
【符号の説明】
【００２４】
１  貼り付け面（斜線部）
２  貼り付け面（斜線部）
３  貼り付け面（斜線部）
４  貼り付け面（斜線部）
５  キーボード部分
６  タッチパッド部分
【図１】
2018163424.tif 000003
【図２】
2018163424.tif 000004